(57)【要約】【課題】辞書情報や電子ブック／テキスト情報の任意の文字列について、簡易な説明情報のみを知りたい場合、あるいは当該簡易な説明情報からさらに詳細な説明情報を知りたい場合の何れの場合でも、ユーザ所望のジャンプ検索処理を操作性よく快適に実行する。【解決手段】説明情報表示画面Ｇの中で、任意の検索文字列を指定表示Ｈさせて［早見へジャンプ］機能を実行させると、該検索文字列の文字種に応じて前回のジャンプ検索に伴い使用された辞書を対象に見出し語検索される。そして、検索見出し語に対応する早見情報（語義の主要部）が今回使用の辞書に対応する早見テーブルから読み出され早見ウインドウＷｈに表示される。さらに、早見ウインドウＷｈに表示された前記検索文字列に対応する早見情報の中で、詳細に知りたい語義を選択して指定表示Ｈさせると、指定表示Ｈさせた語義に対応するところの説明情報が同早見ウインドウＷｈに呼び出され表示される。【選択図】      図１１
2011159066.tif 000002
【特許請求の範囲】
【請求項１】
見出し語と当該見出し語の説明情報とを対応付けて集録した検索可能文字種が異なる複数の辞書を記憶する辞書記憶手段と、
この辞書記憶手段により記憶された各辞書の見出し語に対応する説明情報のうち各語義の主要部を読出し可能に記憶する語義主要部記憶手段と、
前記辞書記憶手段により記憶された何れかの辞書の見出し語に対応する説明情報を表示部に表示させる説明情報表示手段と、
この説明情報表示手段により表示された説明情報の中の任意の文字列をユーザ操作に応じて指定する文字列指定手段と、
この文字列指定手段により指定された任意の文字列の文字種を判別する文字種判別手段と、
この文字種判別手段により判別された文字種により検索可能な辞書から前記文字列指定手段により指定された任意の文字列に対応する見出し語を検索する見出し語検索手段と、
この見出し語検索手段により検索された見出し語に対応する説明情報のうちの各語義の主要部のみを前記語義主要部記憶手段に従い読出し前記説明情報表示手段により表示部に表示された説明情報の中にウインドウにして表示させる語義主要部表示手段と、
この語義主要部表示手段により表示された各語義の主要部のうち何れかの語義をユーザ操作に応じて指定する語義指定手段と、
この語義語指定手段により指定された語義の説明情報を前記見出し語検索手段により検索された見出し語に対応する説明情報から読出し前記語義主要部表示手段により表示されたウインドウ内に表示させる語義情報表示手段と、
を備えたことを特徴とする電子辞書装置。
【請求項２】
前記見出し語検索手段は、前記文字種判別手段により判別された文字種にアルファベットとかな漢字が混在する場合、漢字の文字種により検索可能な辞書から前記文字列指定手段により指定された任意の文字列に対応する見出し語を検索する、
ことを特徴とする請求項１に記載の電子辞書装置。
【請求項３】
前記見出し語検索手段は、前記文字種判別手段により判別された文字種にアルファベットとかな漢字が混在する場合、前記文字列指定手段により指定された任意の文字列のアルファベットの部分をかなに変更し、この変更後の文字列に対応する見出し語を漢字の文字種により検索可能な辞書から検索する、
ことを特徴とする請求項１に記載の電子辞書装置。
【請求項４】
メモリと表示部とを備えた電子機器のコンピュータを制御するためのプログラムであって、
前記コンピュータを、
見出し語と当該見出し語の説明情報とを対応付けて集録した検索可能文字種が異なる複数の辞書を前記メモリに記憶させる辞書記憶手段、
この辞書記憶手段により記憶された各辞書の見出し語に対応する説明情報のうち各語義の主要部を前記メモリに読出し可能に記憶させる語義主要部記憶手段、
前記辞書記憶手段により記憶された何れかの辞書の見出し語に対応する説明情報を前記表示部に表示させる説明情報表示手段、
この説明情報表示手段により表示された説明情報の中の任意の文字列をユーザ操作に応じて指定する文字列指定手段、
この文字列指定手段により指定された任意の文字列の文字種を判別する文字種判別手段、
この文字種判別手段により判別された文字種により検索可能な辞書から前記文字列指定手段により指定された任意の文字列に対応する見出し語を検索する見出し語検索手段、
この見出し語検索手段により検索された見出し語に対応する説明情報のうちの各語義の主要部のみを前記語義主要部記憶手段に従い読出し前記説明情報表示手段により前記表示部に表示された説明情報の中にウインドウにして表示させる語義主要部表示手段、
この語義主要部表示手段により表示された各語義の主要部のうち何れかの語義をユーザ操作に応じて指定する語義指定手段、
この語義語指定手段により指定された語義の説明情報を前記見出し語検索手段により検索された見出し語に対応する説明情報から読出し前記語義主要部表示手段により表示されたウインドウ内に表示させる語義情報表示手段、
として機能させるためのプログラム。
【発明の詳細な説明】
【技術分野】
【０００１】
本発明は、ジャンプ検索機能を備えた電子辞書装置およびその制御プログラムに関する。
【背景技術】
【０００２】
従来から電子辞書装置は、所望の見出し語に対応する説明情報を辞書データから読み出し説明情報表示画面として表示したり、所望の電子ブックを読み出しブックビューア画面として表示したりする機能を有している。
【０００３】
そして、前記説明情報表示画面やブックビューア画面において、任意の文字列を検索文字列として指定し、この検索文字列を、その場でユーザ選択される他の辞書データから見出し語検索してその説明情報を表示させることのできるジャンプ検索機能を搭載したものがある。
【０００４】
従来のジャンプ検索機能を備えた電子辞書装置において、説明情報の表示画面上で指定された任意の検索文字列の文字種に応じて、見出し語検索可能な辞書の種類を予め識別し、この識別された辞書の中で前回の見出し語検索により使用した辞書をジャンプ先の辞書として検索処理する。これにより、ジャンプ先辞書の選択画面からユーザが日頃使用している所望の辞書を一々選択し直す必要無しに、当該所望の辞書にてジャンプ検索可能なものがある（例えば、特許文献１参照。）。
【０００５】
また、テキストの表示画面上で指定された任意の単語の訳等の関連情報を、予め決められた辞書データからその場で検索し、当該表示画面上でウインドウにより表示させる電子辞書装置も考えられている（例えば、特許文献２参照。）。
【先行技術文献】
【特許文献】
【０００６】
【特許文献１】特開２００４−２９５６２６号公報
【特許文献２】特開平０９−０９１２９３号公報
【発明の概要】
【発明が解決しようとする課題】
【０００７】
従来の電子辞書装置では、説明情報の表示画面上あるいはテキストの表示画面上で指定された任意の文字列について、ユーザにより選択された辞書データ、あるいは指定の文字列の文字種に応じて前回の見出し語検索により使用された辞書データ、あるいは予め決められた辞書データにジャンプして検索することが可能である。
【０００８】
しかしながら、一旦辞書検索された説明情報の表示画面上や電子ブックなどのテキストの表示画面上においてユーザが指定する任意の検索文字列については、取り敢えず詳細な説明情報は必要とせず、簡易な訳や意味だけを知りたい場合が殆どである。
【０００９】
一方で、前記ユーザ指定の任意の検索文字列について簡易な説明情報のみを検索して表示したときでも、必要に応じて詳細な説明情報を知りたい場合もあり、何れの場合のジャンプ検索においても、より高い操作性の実現が望まれる。
【００１０】
本発明は、このような課題に鑑みなされたもので、簡易な説明情報のみを知りたい場合、あるいは当該簡易な説明情報からさらに詳細な説明情報を知りたい場合の何れの場合でも、ユーザ所望のジャンプ検索処理を操作性よく快適に実行することが可能になる電子辞書装置およびその制御プログラムを提供することを目的とする。
【課題を解決するための手段】
【００１１】
請求項１に記載の電子辞書装置は、見出し語と当該見出し語の説明情報とを対応付けて集録した検索可能文字種が異なる複数の辞書を記憶する辞書記憶手段と、この辞書記憶手段により記憶された各辞書の見出し語に対応する説明情報のうち各語義の主要部を読出し可能に記憶する語義主要部記憶手段と、前記辞書記憶手段により記憶された何れかの辞書の見出し語に対応する説明情報を表示部に表示させる説明情報表示手段と、この説明情報表示手段により表示された説明情報の中の任意の文字列をユーザ操作に応じて指定する文字列指定手段と、この文字列指定手段により指定された任意の文字列の文字種を判別する文字種判別手段と、この文字種判別手段により判別された文字種により検索可能な辞書から前記文字列指定手段により指定された任意の文字列に対応する見出し語を検索する見出し語検索手段と、この見出し語検索手段により検索された見出し語に対応する説明情報のうちの各語義の主要部のみを前記語義主要部記憶手段に従い読出し前記説明情報表示手段により表示部に表示された説明情報の中にウインドウにして表示させる語義主要部表示手段と、この語義主要部表示手段により表示された各語義の主要部のうち何れかの語義をユーザ操作に応じて指定する語義指定手段と、この語義語指定手段により指定された語義の説明情報を前記見出し語検索手段により検索された見出し語に対応する説明情報から読出し前記語義主要部表示手段により表示されたウインドウ内に表示させる語義情報表示手段と、を備えたことを特徴としている。
【００１２】
請求項２に記載の電子辞書装置は、前記請求項１に記載の電子辞書装置において、前記見出し語検索手段は、前記文字種判別手段により判別された文字種にアルファベットとかな漢字が混在する場合、漢字の文字種により検索可能な辞書から前記文字列指定手段により指定された任意の文字列に対応する見出し語を検索する、ことを特徴としている。
【００１３】
請求項３に記載の電子辞書装置は、前記請求項１に記載の電子辞書装置において、前記見出し語検索手段は、前記文字種判別手段により判別された文字種にアルファベットとかな漢字が混在する場合、前記文字列指定手段により指定された任意の文字列のアルファベットの部分をかなに変更し、この変更後の文字列に対応する見出し語を漢字の文字種により検索可能な辞書から検索する、ことを特徴としている。
【００１４】
請求項４に記載のプログラムは、メモリと表示部とを備えた電子機器のコンピュータを制御するためのプログラムであって、前記コンピュータを、見出し語と当該見出し語の説明情報とを対応付けて集録した検索可能文字種が異なる複数の辞書を前記メモリに記憶させる辞書記憶手段、この辞書記憶手段により記憶された各辞書の見出し語に対応する説明情報のうち各語義の主要部を前記メモリに読出し可能に記憶させる語義主要部記憶手段、前記辞書記憶手段により記憶された何れかの辞書の見出し語に対応する説明情報を前記表示部に表示させる説明情報表示手段、この説明情報表示手段により表示された説明情報の中の任意の文字列をユーザ操作に応じて指定する文字列指定手段、この文字列指定手段により指定された任意の文字列の文字種を判別する文字種判別手段、この文字種判別手段により判別された文字種により検索可能な辞書から前記文字列指定手段により指定された任意の文字列に対応する見出し語を検索する見出し語検索手段、この見出し語検索手段により検索された見出し語に対応する説明情報のうちの各語義の主要部のみを前記語義主要部記憶手段に従い読出し前記説明情報表示手段により前記表示部に表示された説明情報の中にウインドウにして表示させる語義主要部表示手段、この語義主要部表示手段により表示された各語義の主要部のうち何れかの語義をユーザ操作に応じて指定する語義指定手段、この語義語指定手段により指定された語義の説明情報を前記見出し語検索手段により検索された見出し語に対応する説明情報から読出し前記語義主要部表示手段により表示されたウインドウ内に表示させる語義情報表示手段、として機能させることを特徴としている。
【発明の効果】
【００１５】
本発明によれば、簡易な説明情報のみを知りたい場合、あるいは当該簡易な説明情報からさらに詳細な説明情報を知りたい場合の何れの場合でも、ユーザ所望のジャンプ検索処理を操作性よく快適に実行することが可能になる電子辞書装置およびその制御プログラムを提供できる。
【図面の簡単な説明】
【００１６】
【図１】本発明の実施形態に係る電子辞書装置１０の外観構成を示す正面図。
【図２】前記電子辞書装置１０の電子回路の構成を示すブロック図。
【図３】前記電子辞書装置１０の日本語系辞書データベース２２ｂにおける各日本語系辞書データの記憶状態を示す図。
【図４】前記電子辞書装置１０のメモリ２２に確保されたジャンプ先辞書テーブルメモリ２２ｈの内容を示す図。
【図５】前記電子辞書装置１０のメモリ２２に確保された前回ジャンプ辞書メモリ２２ｉの内容を示す図。
【図６】前記電子辞書装置１０による情報表示処理を示すフローチャート（その１）。
【図７】前記電子辞書装置１０による情報表示処理を示すフローチャート（その２）。
【図８】前記電子辞書装置１０による情報表示処理を示すフローチャート（その３）。
【図９】前記電子辞書装置１０の情報表示処理に伴う検索文字列の文字種判別処理を示すフローチャート。
【図１０】前記電子辞書装置１０の情報表示処理に伴う混在文字種対応の検索文字生成処理を示すフローチャート。
【図１１】前記電子辞書装置１０の情報表示処理に伴うタッチパネル式カラー表示部（メイン画面）１７および手書き入力部（サブ画面）１６の表示動作（その１）を示す図。
【図１２】前記電子辞書装置１０の情報表示処理に伴うタッチパネル式カラー表示部（メイン画面）１７および手書き入力部（サブ画面）１６の表示動作（その２）を示す図。
【図１３】前記電子辞書装置１０の情報表示処理に伴うタッチパネル式カラー表示部（メイン画面）１７および手書き入力部（サブ画面）１６の表示動作（その３）を示す図。
【図１４】前記電子辞書装置１０の情報表示処理に伴うタッチパネル式カラー表示部（メイン画面）１７および手書き入力部（サブ画面）１６の表示動作（その４）を示す図。
【図１５】前記電子辞書装置１０の情報表示処理に伴うタッチパネル式カラー表示部（メイン画面）１７および手書き入力部（サブ画面）１６の表示動作（その５）を示す図。
【発明を実施するための形態】
【００１７】
以下図面により本発明の実施の形態について説明する。
【００１８】
図１は、本発明の実施形態に係る電子辞書装置１０の外観構成を示す正面図である。
【００１９】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００２０】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆ、スピーカ１５などを備えたキー入力部（キーボード）１４、および手書き入力部（サブ画面）１６が備えられる。
【００２１】
この手書き入力部（サブ画面）１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能を指定するためのボタン入力領域、あるいは各入力領域が混在する領域に切り替えられる。
【００２２】
そして、前記手書き入力部（サブ画面）１６が手書き文字入力領域に切り替えられた状態での手書き入力に伴う軌跡はその液晶表示画面１６ｄにエコーバックして表示される。
【００２３】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００２４】
この電子辞書装置１０は、ユーザ入力された任意の検索文字列に対応する見出し語とその説明情報を辞書データベースから検索する機能、前記説明情報の表示画面Ｇにてユーザがさらに知りたい文字列（単語）を青色で指定表示Ｈさせ、この指定表示Ｈされた文字列に対応する見出し語を当該指定の文字列の文字種に応じた辞書データから検索（ジャンプ検索）し、検索された見出し語に対応する説明情報の中の括弧内の情報などを省略した主要な情報（各語義の主要部）だけを早見ウインドウＷｈにして簡易に表示する機能などを有する。
【００２５】
前記タッチパネル式カラー表示部（メイン画面）１７に辞書検索された説明情報表示画面Ｇが表示されると、手書き入力部（サブ画面）１６には、［早見］ボタンＢ１、［早見へジャンプ］ボタンＢ２、［詳細へジャンプ］ボタンＢ３、［他の辞書で調べる］ボタンＢ４、［単語帳登録］ボタンＢ５からなる機能メニューＭが表示される。
【００２６】
この機能メニューＭにおいて、［早見へジャンプ］ボタンＢ２は、前記説明情報表示画面Ｇにて指定表示Ｈされた文字列に対応する見出し語を、当該文字列の文字種に応じた各辞書データのうちで前回使用された辞書データをジャンプ先の辞書にして検索し、検索された見出し語に対応する説明情報を前記早見ウインドウＷｈにして表示させる場合にタッチ操作される。
【００２７】
また、［詳細へジャンプ］ボタンＢ３は、前記説明情報表示画面Ｇにて指定表示Ｈされた文字列に対応する見出し語を、当該文字列の文字種に応じた各辞書データをそれぞれジャンプ先の辞書にして検索し、ユーザ選択された辞書にて検索された見出し語に対応する詳細な説明情報を新たな説明情報表示画面Ｇにして表示させる場合にタッチ操作される。
【００２８】
なお、この電子辞書装置１０は、予め記憶されたブックデータやダウンロードされたテキストデータを、ブック／テキストビューワ画面としてタッチパネル式カラー表示部１７に表示させることが可能である。
【００２９】
そして、このブック／テキストビューワ画面が表示された場合にも、前記手書き入力部（サブ画面）１６には機能メニューＭが表示される。そして、前記［早見へジャンプ］ボタンＢ２を操作することにより、指定の文字列（Ｈ）に対応する見出し語の主要な説明情報だけを早見ウインドウＷｈにして表示させるジャンプ検索処理、前記［詳細へジャンプ］ボタンＢ３を操作することにより、指定の文字列（Ｈ）に対応する見出し語の詳細な説明情報を通常の説明情報表示画面Ｇにして表示させるジャンプ検索処理を実行可能である。
【００３０】
図２は、前記電子辞書装置１０の電子回路の構成を示すブロック図である。
【００３１】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３２】
ＣＰＵ２１は、メモリ（フラッシュＲＯＭ）２２内に予め記憶された装置制御プログラム、あるいはＲＯＭカードなどの外部記憶媒体２３から記憶媒体読み書き部２４を介して前記メモリ２２に読み込まれた装置制御プログラム、あるいはインターネットＮ上のＷｅｂサーバ（この場合はプログラムサーバ）から通信制御部２５を介して前記メモリ２２に読み込まれた装置制御プログラムに応じて、回路各部の動作を制御する。
【００３３】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信制御部２５を介して接続されるインターネットＮ上の各Ｗｅｂサーバとの通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００３４】
前記ＣＰＵ２１には、前記メモリ２２、記憶媒体読み書き部２４、通信制御部２５、キー入力部１４、手書き入力部（サブ画面）１６、タッチパネル式カラー表示部（メイン画面）１７などが接続される。
【００３５】
メモリ２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００３６】
また、辞書情報やブック／テキストデータの表示だけでなく、検索文字列の入力に応じて見出し語を検索する見出し語検索処理、検索された見出し語に対応した説明情報（語義・訳語など）の読み出し表示処理、表示された説明情報やブック／テキストデータの中のユーザ任意の文字列を指定し当該指定の文字列をその文字種に応じた辞書にジャンプして検索するための早見ジャンプ検索処理や詳細ジャンプ検索処理など、同メモリ２２内に記憶された辞書データベース２２ｂ〜２２ｅやブック／テキストデータ２２ｆ，２２ｇに基づく処理全般を制御するための各種情報表示制御プログラム２２ａが記憶される。
【００３７】
前記辞書データベース２２ｂ〜２２ｅとしては、日本語系辞書データベース２２ｂ、英語系辞書データベース２２ｃ、国語系辞書早見テーブル２２ｄ、英語系辞書早見テーブル２２ｅが、予めあるいはダウンロードされて記憶される。
【００３８】
日本語系辞書データベース２２ｂには、かな／漢字の見出し語に対応付けて日本語の説明情報が記述された［国語辞書］、漢字の見出し語に対応付けて日本語の説明情報が記述された［漢和辞書］、かな／漢字／アルファベットの見出し語に対応付けて日本語の説明情報が記述された［百科事典］、かなの見出し語に対応付けて日本語の説明情報が記述された［カタカナ語辞書］などが記憶される。
【００３９】
図３は、前記電子辞書装置１０の日本語系辞書データベース２２ｂにおける各日本語系辞書データの記憶状態を示す図である。
【００４０】
この日本語系辞書データベース２２ｂに記憶される各辞書データ（国語大辞書）２２ｂ１，（ブリ百科事典）２２ｂ２，…は、その見出し語が「読みの見出し語」と「表記の見出し語」とに分けられて記憶され、何れの形態の見出し語からも見出し語検索処理および検索された見出し語に対応する説明情報の読出し表示処理を実行することができる。
【００４１】
この日本語系辞書データベース２２ｂの国語大辞書２２ｂ１において、例えば「表記の見出し語：ＤＮＡ virus」には「読みの見出し語：ディーエヌエーウイルス」が対応付けされ、またブリ百科事典２２ｂ２において、例えば「表記の見出し語：ＲＮＡ ウイルス」には「読みの見出し語：アールエヌエーウイルス」が対応付けされる。
【００４２】
このように日本語系辞書データベース２２ｂでは、表記上の見出し語がアルファベットからなる見出し語あるいはアルファベットとカナからなる見出し語であっても、全てカナ読みの見出し語として検索可能である。
【００４３】
英語系辞書データベース２２ｃには、アルファベットの見出し語に対応付けて日本語の説明情報が記述された［英和辞書］、アルファベットの見出し語に対応付けて英語の説明情報が記述された［英英辞書］、かな／漢字の見出し語に対応付けて英語の説明情報が記述された［和英辞書］などが記憶される。
【００４４】
国語系辞書早見テーブル２２ｄには、前記国語系辞書データベース２２ｂに記憶された各種の辞書データ２２ｂ１，２２ｂ２，…の見出し語に対応付けて、その説明情報のうちの語義の主要部だけが記憶される。
【００４５】
例えば辞書データ（国語大辞書）２２ｂ１の見出し語「ウイルス」に対応する語義の主要部としては、「[1]ウイルス[virusラテン]、[2](1)遺伝情報を荷う核酸とそれを囲む蛋白殻から成る微粒子。[3](2)コンピューター・ウイルスのこと。」が記憶される。
【００４６】
英語系辞書早見テーブル２２ｅには、前記英語系辞書データベース２２ｃに記憶された各種の辞書データ２２ｃ１，２２ｃ２，…の見出し語に対応付けて、その説明情報のうちの語義の主要部だけが記憶される。
【００４７】
例えば辞書データ（英和辞書）２２ｃ１の見出し語「ＤＮＡ」に対応する語義の主要部としては、「[1]DNA(deoxyribonucleic acid)、[2][遺伝]デオキシリボ核酸」が記憶される。
【００４８】
なお、前記国語系辞書早見テーブル２２ｄに記憶された各国語系辞書データ２２ｂ１，２２ｂ２，…の見出し語に対応する語義の主要部は、当該早見テーブル２２ｄとして独立して記憶するのではなく、各国語系辞書データ２２ｂ１，２２ｂ２，…の説明情報の中からフラグの設定により読み出すようにしてもよい。
【００４９】
同様に、前記英語系辞書早見テーブル２２ｅに記憶された各英語系辞書データ２２ｃ１，２２ｃ２，…の見出し語に対応する語義の主要部は、当該早見テーブル２２ｅとして独立して記憶するのではなく、各英語系辞書データ２２ｃ１，２２ｃ２，…の説明情報の中からフラグの設定により読み出すようにしてもよい。
【００５０】
ブックデータ２２ｆとしては、英語や日本語で記述された［英語演説集］［世界文学集］［日本文学集］などが記憶される。
【００５１】
テキストデータ２２ｇとしては、種々のテキストデータＡ，Ｂ，…がダウンロードされて記憶される。
【００５２】
また、前記メモリ２２には、ジャンプ先辞書テーブルメモリ２２ｈ、前回ジャンプ辞書メモリ２２ｉ、ジャンプモードメモリ２２ｊ、ワークエリア２２ｋが確保される。
【００５３】
図４は、前記電子辞書装置１０のメモリ２２に確保されたジャンプ先辞書テーブルメモリ２２ｈの内容を示す図である。
【００５４】
ジャンプ先辞書テーブルメモリ２２ｈには、前記辞書データベース２２ｂ，２２ｃに記憶された各辞書のそれぞれに対応付けて、当該辞書により見出し語検索可能な文字種が記憶される。
【００５５】
このジャンプ先辞書テーブルメモリ２２ｈに記憶されたテーブルデータに基づき、説明情報表示画面Ｇやブック／テキストビューア画面にて指定表示Ｈさせた検索対象文字列の文字種に応じて見出し語検索可能なジャンプ先辞書を識別する。
【００５６】
図５は、前記電子辞書装置１０のメモリ２２に確保された前回ジャンプ辞書メモリ２２ｉの内容を示す図である。
【００５７】
前回ジャンプ辞書メモリ２２ｉには、ジャンプ検索モードにおいてジャンプ先辞書として使用された辞書の辞書名が、検索対象文字列の文字種毎にジャンプ検索処理の都度、更新されて記憶される。
【００５８】
この前回ジャンプ辞書メモリ２２ｉに記憶された各文字種毎の辞書名に基づき、新たなジャンプ検索モードにおいて指定表示Ｈさせた検索対象文字列の文字種に対応して前回使用されたジャンプ先辞書を識別する。
【００５９】
ジャンプモードメモリ２２ｊには、前記ジャンプ検索モードの起動状態にて手書き入力部（サブ画面）１６に表示させた機能メニューＭの［早見へジャンプ］ボタンＢ２や［詳細へジャンプ］ボタンＢ３に応じて選択されたジャンプ検索モードの種類が記憶される。
【００６０】
次に、前記構成による電子辞書装置１０のジャンプ検索を伴う情報表示機能について説明する。
【００６１】
図６は、前記電子辞書装置１０による情報表示処理を示すフローチャート（その１）である。
【００６２】
図７は、前記電子辞書装置１０による情報表示処理を示すフローチャート（その２）である。
【００６３】
図８は、前記電子辞書装置１０による情報表示処理を示すフローチャート（その３）である。
【００６４】
図９は、前記電子辞書装置１０の情報表示処理に伴う検索文字列の文字種判別処理を示すフローチャートである。
【００６５】
図１０は、前記電子辞書装置１０の情報表示処理に伴う混在文字種対応の検索文字生成処理を示すフローチャートである。
【００６６】
図１１は、前記電子辞書装置１０の情報表示処理に伴うタッチパネル式カラー表示部（メイン画面）１７および手書き入力部（サブ画面）１６の表示動作（その１）を示す図である。
【００６７】
図１２は、前記電子辞書装置１０の情報表示処理に伴うタッチパネル式カラー表示部（メイン画面）１７および手書き入力部（サブ画面）１６の表示動作（その２）を示す図である。
【００６８】
図１３は、前記電子辞書装置１０の情報表示処理に伴うタッチパネル式カラー表示部（メイン画面）１７および手書き入力部（サブ画面）１６の表示動作（その３）を示す図である。
【００６９】
図１４は、前記電子辞書装置１０の情報表示処理に伴うタッチパネル式カラー表示部（メイン画面）１７および手書き入力部（サブ画面）１６の表示動作（その４）を示す図である。
【００７０】
図１５は、前記電子辞書装置１０の情報表示処理に伴うタッチパネル式カラー表示部（メイン画面）１７および手書き入力部（サブ画面）１６の表示動作（その５）を示す図である。
【００７１】
［辞書検索モードからのジャンプ辞書検索］
辞書指定キー１４ｂの押下によりユーザ所望の辞書が指定されると（ステップＳ１（Ｙｅｓ））、通常の辞書検索モードにセットされ（ステップＳ２）、辞書データベース２２ｂ〜２２ｅの中の指定の辞書が起動されると共に、検索文字列の入力画面がタッチパネル式カラー表示部１７に表示される（ステップＳ３）。
【００７２】
この検索文字列の入力画面において、文字入力キー１４ａの押下によりユーザ所望の検索文字列が入力されて表示されると（ステップＳ４）、この入力された検索文字列と前方一致する見出し語が前記指定の辞書から検索され、検索された見出し語が一覧にしてタッチパネル式カラー表示部１７に表示される（ステップＳ５）。
【００７３】
すると、前記一覧表示された検索見出し語のうちユーザ操作などにより指定表示Ｈされた見出し語の説明情報が前記指定の辞書から読み出され、タッチパネル式カラー表示部１７にプレビュー表示される（ステップＳ６）。
【００７４】
そして、ユーザによるカーソルの移動操作に応じて所望の検索見出し語が選択され、［訳／決定］キー１４ｃが押下されると（ステップＳ７）、当該選択された見出し語に対応して前記指定の辞書から読み出された説明情報が、タッチパネル式カラー表示部１７の全画面に展開されてなる説明情報表示画面Ｇとして表示される（ステップＳ８）。
【００７５】
前記ステップＳ１〜Ｓ８の辞書検索処理に従い、例えば図１１（Ａ）に示すように、日本語系辞書データベース２２ｂとして記憶されている［国語大辞書］から検索された見出し語「ディーエヌエーウイルス」に対応する説明情報表示画面Ｇがタッチパネル式カラー表示部（メイン画面）１７に表示されると、手書き入力部（サブ画面）１６に対して［早見］ボタンＢ１、［早見へジャンプ］ボタンＢ２、［詳細へジャンプ］ボタンＢ３、［他の辞書で調べる］ボタンＢ４、［単語帳登録］ボタンＢ５からなる機能メニューＭが表示される（ステップＳ９）。
【００７６】
この機能メニューＭの初期表示状態では、［早見へジャンプ］ボタンＢ２がデフォルトで指定表示Ｈされる。
【００７７】
ここで、前記説明情報表示画面Ｇの中の任意の文字列について同文字列の文字種に応じた辞書へジャンプして検索するために、［ジャンプ］キー１４ｆが押下され（ステップＳ１０（Ｙｅｓ））、検索対象の文字列「ＤＮＡ」がペンＰによりタッチされると、同文字列「ＤＮＡ」が青色で指定表示Ｈされる（ステップＳ１１）。
【００７８】
そして、図１１（Ｂ）に示すように、前記手書き入力部（サブ画面）１６に表示された機能メニューＭの［早見へジャンプ］ボタンＢ２が指定表示Ｈされた状態で、［訳／決定］キー１４ｃが押下されるか、または前記説明情報表示画面Ｇの中で指定表示Ｈされた検索対象の文字列「ＤＮＡ」がペンＰによりタッチされると（ステップＳ１２，Ｓ１５（Ｙｅｓ））、ジャンプモードメモリ２２ｊに記憶された現在のジャンプ検索モードの種類［早見へジャンプ］が判断され（ステップＳ１６，Ｓ１７（Ｙｅｓ））、図９における検索文字列の文字種判別処理へ移行される（ステップＳＡ）。
【００７９】
一方、前記機能メニューＭの［早見へジャンプ］ボタンＢ２がペンタッチされることにより、ジャンプ検索の機能［早見へジャンプ］が選択されると（ステップＳ１２，Ｓ１３（Ｙｅｓ））、ジャンプモードメモリ２２ｊにジャンプ検索モードの種類［早見へジャンプ］が記憶され、前記［早見へジャンプ］ボタンＢ２が指定表示Ｈされる（ステップＳ１４）。
【００８０】
そして、図９における検索文字列の文字種判別処理へ移行される（ステップＳＡ）。
【００８１】
この検索文字列の文字種判別処理では、先ず、前記説明情報表示画面Ｇにて指定表示Ｈされた検索文字列「ＤＮＡ」の文字種が判別され（ステップＡ１）、アルファベットとかな漢字が混在するか否か判断される（ステップＡ２）。
【００８２】
前記検索文字列の文字種にアルファベットとかな漢字が混在すると判断された場合には（ステップＡ２（Ｙｅｓ））、当該検索文字列の文字種は“漢字”として記憶される（ステップＡ３）。
【００８３】
また、前記検索文字列の文字種にアルファベットとかな漢字が混在しないと判断された場合には（ステップＡ２（Ｎｏ））、前記ステップＡ１にて判別された文字種がそのまま当該検索文字列の文字種として記憶される（ステップＡ４）。
【００８４】
ここでは、前記検索文字列「ＤＮＡ」の文字種はそのまま“アルファベット”として記憶される（ステップＡ１，Ａ２→Ａ４）。
【００８５】
すると次に、図１０における混在文字種対応の検索文字生成処理へ移行される（ステップＳＢ）。
【００８６】
この混在文字種対応の検索文字生成処理でも、先ず、前記説明情報表示画面Ｇにて指定表示Ｈされた検索文字列「ＤＮＡ」の文字種が判別され（ステップＢ１）、アルファベットとかな漢字が混在するか否か判断される（ステップＢ２）。
【００８７】
そして、前記検索文字列の文字種にアルファベットとかな漢字が混在すると判断された場合にだけ（ステップＢ２（Ｙｅｓ））、当該検索文字列のアルファベットの部分が日本語の読みに変更され、全て日本語の読みである混在文字種対応の検索文字が生成されてワークエリア２２ｋに保存される（ステップＢ３）。
【００８８】
例えばジャンプ対象の検索文字列が「ＤＮＡウイルス」でその文字種にアルファベットとかな漢字とが混在する場合、全て日本語の読みである混在文字種対応の検索文字「ディーエヌエーウイルス」が生成されてワークエリア２２ｋに保存される。
【００８９】
ここでは、前記検索文字列「ＤＮＡ」の文字種は“アルファベット”だけで混在しないので（ステップＢ１，Ｂ２（Ｎｏ））、混在文字種対応の検索文字は生成されない。
【００９０】
すると、前記検索文字列「ＤＮＡ」の文字種“アルファベット”に対応して、前回ジャンプ辞書メモリ２２ｉ（図５参照）に記憶されている前回のジャンプ先辞書［英和辞書］が検知され、今回のジャンプ先辞書に設定される（ステップＳ１８）。
【００９１】
そして、前記検索文字列「ＤＮＡ」の文字種“アルファベット”に応じて設定された今回のジャンプ先辞書［英和辞書］に、当該検索文字列「ＤＮＡ」と前方一致する見出し語があるか否か判断される（ステップＳ１９（Ｙｅｓ））。
【００９２】
ここで、今回のジャンプ先辞書［英和辞書］に、前記検索文字列「ＤＮＡ」と前方一致する見出し語があると判断されると（ステップＳ１９（Ｙｅｓ））、その先頭の見出し語「ＤＮＡ」の説明情報に対応する早見情報（語義の主要部）が、英語系辞書早見テーブル２２ｅから読み出される（ステップＳ２０）。
【００９３】
すると、今回のジャンプ先辞書［英和辞書］の辞書名［英和］と当該辞書から読み出された早見情報「[1]DNA(deoxyribonucleic acid)、[2][遺伝]デオキシリボ核酸」が、前記説明情報表示画面Ｇ上で開いた早見ウインドウＷｈにより表示される（ステップＳ２４）。
【００９４】
この早見ウインドウＷｈの右端には、ウインドウ内の表示情報をスクロールさせるための［スクロール］ボタンＲ、前記見出し語検索された次候補の見出し語に対応する早見情報を読み出して表示させるための［別候補］ボタンＮ、早見ウインドウＷｈを閉じるための［閉じる］ボタンＥが表示される。
【００９５】
ここで、前記早見ウインドウＷｈの［別候補］ボタンＮがタッチされた場合は（ステップＳ２５（Ｙｅｓ））、前記ステップＳ１９，Ｓ２０にて前方一致で見出し語検索された次候補の見出し語に対応する早見情報が前記英語系辞書早見テーブル２２ｅから読み出され、前記早見ウインドウＷｈに書き替えられて表示される（ステップＳ２６）。
【００９６】
一方、前記図１１（Ｂ）で示すように表示された検索文字列「ＤＮＡ」に対応する早見ウインドウＷｈにおいて、図１１（Ｃ）に示すように、例えば２番目の語義「[2][遺伝]デオキシリボ核酸」の行が、ペンＰによりタッチされるか、またはカーソルキー１４ｅの操作により選択されると（ステップＳ２７（Ｙｅｓ））、当該選択された２番目の語義がテキスト検索対象として指定表示Ｈされる（ステップＳ２８）。
【００９７】
ここで、図１１（Ｄ）に示すように、［訳／決定］キー１４ｃが押下されるか、またはペンＰにより前記指定表示Ｈされた２番目の語義「[2][遺伝]デオキシリボ核酸」の行がタッチされるか、または機能メニューＭの［早見へジャンプ］ボタンＢ２がタッチされると（ステップＳ２９（Ｙｅｓ））、前記検索された見出し語「ＤＮＡ」に対応する説明情報が前記ジャンプ先辞書［英和辞書］から読み出される（ステップＳ３０）。
【００９８】
そして、前記見出し語「ＤＮＡ」に対応して読み出された説明情報のうち、前記ステップＳ２７，Ｓ２８にて指定表示Ｈされた２番目の語義「[2][遺伝]デオキシリボ核酸」に対応する部分の説明情報が抽出され、前記早見ウインドウＷｈに書き替えられて表示される（ステップＳ３１）。
【００９９】
なお、この早見ウインドウＷｈに表示された説明情報は、カーソルキー［↑］［↓］１４ｃの操作によりスクロールさせて表示させることができる。
【０１００】
次に、前記図１１（Ｄ）で示したように、［国語大辞書］の見出し語「ディーエヌエーウイルス」に対応する説明情報表示画面Ｇ上に、当該説明情報の中で指定表示Ｈさせたジャンプ検索対象の文字列「ＤＮＡ」に応じた［英和辞書］による早見ウインドウＷｈが表示された状態で、図１２（Ｅ）に示すように、［戻る／リスト］キー１４ｄが押下されると（ステップＳ３２（Ｙｅｓ））、前記見出し語「ディーエヌエーウイルス」に対応する説明情報表示画面Ｇの表示状態に戻る。
【０１０１】
この［国語大辞書］の見出し語「ディーエヌエーウイルス」に対応する説明情報表示画面Ｇの表示状態において、語義を知りたい任意の検索文字列「ウイルス」が矢印ｘに示すようにペンＰによりなぞられると、当該なぞられた検索文字列「ウイルス」が指定表示Ｈされる（ステップＳ１１）。
【０１０２】
そして、図１２（Ｆ）に示すように、前記手書き入力部（サブ画面）１６に表示された機能メニューＭの［早見へジャンプ］ボタンＢ２が指定表示Ｈされた状態で、［訳／決定］キー１４ｃが押下されるか、または前記説明情報表示画面Ｇの中で指定表示Ｈされた検索対象の文字列「ウイルス」がペンＰによりタッチされると（ステップＳ１２，Ｓ１５（Ｙｅｓ））、ジャンプモードメモリ２２ｊに記憶された現在のジャンプ検索モードの種類［早見へジャンプ］が判断され（ステップＳ１６，Ｓ１７（Ｙｅｓ））、図９における検索文字列の文字種判別処理へ移行される（ステップＳＡ）。
【０１０３】
この検索文字列の文字種判別処理では、先ず、前記説明情報表示画面Ｇにて指定表示Ｈされた検索文字列「ウイルス」の文字種“かな”が判別される（ステップＡ１）。
【０１０４】
そして、前記検索文字列「ウイルス」の文字種にアルファベットとかな漢字が混在しないと判断され（ステップＡ２（Ｎｏ））、前記ステップＡ１にて判別された文字種がそのまま“かな”として記憶される（ステップＡ２→Ａ４）。
【０１０５】
すると次に、図１０における混在文字種対応の検索文字生成処理へ移行される（ステップＳＢ）。
【０１０６】
この混在文字種対応の検索文字生成処理では、前記説明情報表示画面Ｇにて指定表示Ｈされた検索文字列「ウイルス」の文字種“かな”が判別され（ステップＢ１）、アルファベットとかな漢字が混在しないと判断される（ステップＢ２（Ｎｏ））。
【０１０７】
すると、前記検索文字列「ウイルス」の文字種“かな”に対応して、前回ジャンプ辞書メモリ２２ｉに記憶されている前回のジャンプ先辞書（この場合は［国語大辞書］）が検知され、今回のジャンプ先辞書に設定される（ステップＳ１８）。
【０１０８】
そして、前記検索文字列「ウイルス」の文字種“かな”に応じて設定された今回のジャンプ先辞書［国語大辞書］に、当該検索文字列「ウイルス」と前方一致する見出し語があるか否か判断される（ステップＳ１９（Ｙｅｓ））。
【０１０９】
ここで、今回のジャンプ先辞書［国語大辞書］に、前記検索文字列「ウイルス」と前方一致する見出し語があると判断されると（ステップＳ１９（Ｙｅｓ））、その先頭の見出し語「ウイルス」の説明情報に対応する早見情報（語義の主要部）が、国語系辞書早見テーブル２２ｄから読み出される（ステップＳ２０）。
【０１１０】
すると、今回のジャンプ先辞書［国語大辞書］の辞書名［国語大］と当該辞書から読み出された早見情報「[1]ウイルス[virusラテン]、[2](1)遺伝情報を荷う核酸とそれを囲む蛋白殻から成る微粒子。[3](2)コンピューター・ウイルスのこと。」が、前記説明情報表示画面Ｇ上で開いた早見ウインドウＷｈにより表示される（ステップＳ２４）。
【０１１１】
ここで、前記図１２（Ｆ）で示すように表示された検索文字列「ウイルス」に対応する早見ウインドウＷｈにおいて、図１２（Ｇ）に示すように、例えば２番目の語義「[2](1)遺伝情報を荷う核酸とそれを囲む蛋白殻から成る微粒子。」の行が、ペンＰによりタッチされるか、またはカーソルキー１４ｅの操作により選択されると（ステップＳ２７（Ｙｅｓ））、当該選択された２番目の語義がテキスト検索対象として指定表示Ｈされる（ステップＳ２８）。
【０１１２】
ここで、図１２（Ｈ）に示すように、［訳／決定］キー１４ｃが押下されるか、またはペンＰにより前記指定表示Ｈされた２番目の語義「[2](1)遺伝情報を荷う核酸とそれを囲む蛋白殻から成る微粒子。」の行がタッチされるか、または機能メニューＭの［早見へジャンプ］ボタンＢ２がタッチされると（ステップＳ２９（Ｙｅｓ））、前記検索された見出し語「ウイルス」に対応する説明情報が前記ジャンプ先辞書［国語大辞書］から読み出される（ステップＳ３０）。
【０１１３】
そして、前記見出し語「ウイルス」に対応して読み出された説明情報のうち、前記ステップＳ２７，Ｓ２８にて指定表示Ｈされた２番目の語義「[2](1)遺伝情報を荷う核酸とそれを囲む蛋白殻から成る微粒子。」に対応する部分の説明情報が抽出され、前記早見ウインドウＷｈに書き替えられて表示される（ステップＳ３１）。
【０１１４】
このように、説明情報表示画面Ｇに表示された説明情報の中で、任意の検索文字列を指定表示Ｈさせて［早見へジャンプ］機能を実行させると、当該検索文字列の文字種に応じて前回のジャンプ検索に伴い使用された辞書を対象に見出し語検索される。そして、検索された見出し語に対応する早見情報が今回使用の辞書に対応する早見テーブルから読み出され早見ウインドウＷｈに表示されるので、説明情報表示画面Ｇ上で指定表示Ｈさせた任意の検索文字列に対応する語義の主要部だけをその場で容易に早見して確認することができる。
【０１１５】
さらに、前記早見ウインドウＷｈに表示された前記検索文字列に対応する早見情報の中で、詳細に知りたい語義を選択して指定表示Ｈさせると、当該指定表示Ｈさせた語義に対応するところの説明情報が同早見ウインドウＷｈに呼び出されて表示されるので、前記早見確認だけでなく、詳細な内容を知りたい場合でもその場で容易に確認することができる。
【０１１６】
次に、前記図１２（Ｈ）で示したように、［国語大辞書］の見出し語「ディーエヌエーウイルス」に対応する説明情報表示画面Ｇ上に、当該説明情報の中で指定表示Ｈさせたジャンプ検索対象の文字列「ウイルス」に応じた［国語大辞書］による早見ウインドウＷｈが表示された状態で、図１３（Ｉ）に示すように、［戻る／リスト］キー１４ｄが押下されると（ステップＳ３２（Ｙｅｓ））、前記見出し語「ディーエヌエーウイルス」に対応する説明情報表示画面Ｇの表示状態に戻る。
【０１１７】
この［国語大辞書］の見出し語「ディーエヌエーウイルス」に対応する説明情報表示画面Ｇの表示状態において、語義を知りたい任意の検索文字列「ウイルス」が指定表示Ｈされ（ステップＳ１１）、手書き入力部（サブ画面）１６に表示された機能メニューＭの［詳細へジャンプ］ボタンＢ３がペンＰによりタッチされると（ステップＳ１２，Ｓ３３（Ｙｅｓ））、ジャンプモードメモリ２２ｊにジャンプ検索モードの種類［詳細へジャンプ］が記憶され、前記［詳細へジャンプ］ボタンＢ３が指定表示Ｈされる（ステップＳ３４）。
【０１１８】
そして、図９における検索文字列の文字種判別処理へ移行される（ステップＳＡ）。
【０１１９】
この検索文字列の文字種判別処理では、先ず、前記説明情報表示画面Ｇにて指定表示Ｈされた検索文字列「ウイルス」の文字種“かな”が判別される（ステップＡ１）。
【０１２０】
そして、前記検索文字列「ウイルス」の文字種にアルファベットとかな漢字が混在しないと判断され（ステップＡ２（Ｎｏ））、前記ステップＡ１にて判別された文字種がそのまま“かな”として記憶される（ステップＡ２→Ａ４）。
【０１２１】
すると次に、図１０における混在文字種対応の検索文字生成処理へ移行される（ステップＳＢ）。
【０１２２】
この混在文字種対応の検索文字生成処理では、前記説明情報表示画面Ｇにて指定表示Ｈされた検索文字列「ウイルス」の文字種“かな”が判別され（ステップＢ１）、アルファベットとかな漢字が混在しないと判断される（ステップＢ２（Ｎｏ））。
【０１２３】
すると、ジャンプ先辞書テーブルメモリ２２ｈに記憶されているテーブルデータ（図４参照）に基づき、前記判別された検索文字列「ウイルス」の文字種“かな”に対応する検索可能辞書の一覧［国語大辞書］［和英辞書］［カタカナ語辞書］［百科事典］が読み出される（ステップＳ３５）。
【０１２４】
そして、前記ジャンプ先辞書テーブル（２２ｈ）から読み出された各検索可能辞書［国語大辞書］［和英辞書］［カタカナ語辞書］［百科事典］から、前記検索文字列「ウイルス」に対応する各見出し語が検索されて読み出され、前記説明情報表示画面Ｇ上に開いたジャンプ先辞書一覧ウインドウＷｊに各辞書名と共に一覧表示される（ステップＳ３６）。
【０１２５】
この際、前回ジャンプ辞書メモリ２２ｉ（図５参照）に記憶されている該当の文字種“かな”に対応した前回のジャンプ先辞書にて、前記検索文字列「ウイルス」に対応する見出し語が検索されている場合には（ステップＳ３７（Ｙｅｓ））、当該前回のジャンプ先辞書［国語大辞書］に対応するところの見出し語「ウイルス[virus]」の欄が指定表示Ｈされる（ステップＳ３８）。
【０１２６】
なお、前回ジャンプ辞書メモリ２２ｉ（図５参照）に記憶されている該当の文字種に対応した前回のジャンプ先辞書にて、検索文字列に対応する見出し語が検索されてない場合には（ステップＳ３７（Ｎｏ））、ジャンプ先辞書一覧ウインドウＷｊの先頭のジャンプ先辞書に対応するところの見出し語の欄が指定表示Ｈされる（ステップＳ３９）。
【０１２７】
そして、前記ジャンプ先辞書一覧ウインドウＷｊにおいて、図１３（Ｊ）に示すように、ユーザ操作に応じて所望のジャンプ先辞書およびその見出し語［[4]ブリ百科：ウイルス］が選択されて［訳／決定］キー１４ｃが押下されると（ステップＳ４０）、当該選択された辞書名［ブリ百科事典］が前回ジャンプ辞書メモリ２２ｉ（図５参照）における前記検索文字列「ウイルス」の判別文字種“かな”に対応付けられて記憶される（ステップＳ４１）。
【０１２８】
すると、図１３（Ｋ）に示すように、前記選択されたジャンプ先辞書［ブリ百科事典］から検索された見出し語「ウイルス」に対応する詳細な説明情報が読み出され、タッチパネル式カラー表示部（メイン画面）１７の全画面に展開されてなる説明情報表示画面Ｇとして表示される（ステップＳ４２）。
【０１２９】
このように、タッチパネル式カラー表示部（メイン画面）１７に表示された説明情報表示画面Ｇ内の所望の検索文字列について、機能メニューＭにおける［詳細へジャンプ］ボタンＢ３を指定すると、同検索文字列の文字種に応じたジャンプ先辞書の一覧ウインドウＷｊに従いユーザが選択した辞書から当該検索文字列と一致する見出し語の詳細な説明情報が読み出され、新たな説明情報表示画面Ｇとして表示される。このため、辞書検索されて表示された説明情報表示画面Ｇ中の任意の語句の詳細な意味内容を、ユーザ所望の辞書から検索して知りたい場合など、非常に操作性よく快適にジャンプ辞書検索を行うことができる。
【０１３０】
次に、前記ジャンプ先辞書［ブリ百科事典］の見出し語「ウイルス」に対応する説明情報表示画面Ｇの表示状態において、図１３（Ｌ）に示すように、カーソルキー［↓］１４ｅの押下により当該画面Ｇ内の説明情報をスクロールさせて表示させる。
【０１３１】
ここで、スクロール表示された説明情報の中で、語義を簡単に調べたい文字列が登場した場合に、［ジャンプ］キー１４ｆが押下され（ステップＳ１０（Ｙｅｓ））、検索対象の文字列「ＤＮＡウイルス」が矢印ｘに示すようにペンＰによりなぞられると、同文字列「ＤＮＡウイルス」が青色で指定表示Ｈされる（ステップＳ１１）。
【０１３２】
そして、図１４（Ｍ）に示すように、手書き入力部（サブ画面）１６に表示させた機能メニューＭの［早見へジャンプ］ボタンＢ２がペンタッチされることにより、ジャンプ検索の機能［早見へジャンプ］が選択されると（ステップＳ１２，Ｓ１３（Ｙｅｓ））、ジャンプモードメモリ２２ｊにジャンプ検索モードの種類［早見へジャンプ］が記憶され、前記［早見へジャンプ］ボタンＢ２が指定表示Ｈされる（ステップＳ１４）。
【０１３３】
そして、図９における検索文字列の文字種判別処理へ移行される（ステップＳＡ）。
【０１３４】
この検索文字列の文字種判別処理では、先ず、前記説明情報表示画面Ｇにて指定表示Ｈされた検索文字列「ＤＮＡウイルス」の文字種“アルファベット”と“かな”が判別される（ステップＡ１）。
【０１３５】
すると、前記検索文字列「ＤＮＡウイルス」の文字種にアルファベットとかな漢字が混在すると判断され（ステップＡ２（Ｙｅｓ））、その文字種が“漢字”として記憶される（ステップＡ２→Ａ３）。
【０１３６】
すると次に、図１０における混在文字種対応の検索文字生成処理へ移行される（ステップＳＢ）。
【０１３７】
この混在文字種対応の検索文字生成処理では、前記説明情報表示画面Ｇにて指定表示Ｈされた検索文字列「ＤＮＡウイルス」の文字種“アルファベット”と“かな”が判別され（ステップＢ１）、アルファベットとかな漢字が混在すると判断される（ステップＢ２（Ｙｅｓ））。
【０１３８】
すると、前記検索文字列「ＤＮＡウイルス」の“アルファベット”と文字種判別された部分「ＤＮＡ」が、日本語の読み「ディーエヌエー」に変更され、混在文字種対応の検索文字列「ディーエヌエーウイルス」が生成される。そして、この混在文字種対応の検索文字列「ディーエヌエーウイルス」がワークエリア２２ｋに保存される（ステップＢ３）。
【０１３９】
すると、前記混在文字種対応の検索文字列「ディーエヌエーウイルス」の文字種“漢字”に対応して、前回ジャンプ辞書メモリ２２ｉに記憶されている前回のジャンプ先辞書［ブリ百科事典］が検知され、今回のジャンプ先辞書に設定される（ステップＳ１８）。
【０１４０】
そして、前記混在文字種対応の検索文字列「ディーエヌエーウイルス」の文字種“漢字”に応じて設定された今回のジャンプ先辞書［ブリ百科事典］に、当該検索文字列「ディーエヌエーウイルス」と前方一致する見出し語があるか否か判断される（ステップＳ１９（Ｙｅｓ））。
【０１４１】
ここで、今回のジャンプ先辞書［ブリ百科事典］に、前記混在文字種対応の検索文字列「ディーエヌエーウイルス」と前方一致する見出し語がないと判断されると（ステップＳ１９（Ｎｏ））、前記説明情報表示画面Ｇ上に開いた早見ウインドウＷｈに対して、その辞書名［ブリ百科］および検索文字列「ＤＮＡウイルス」と共に、一致する見出し語が検索されないこと、および混在文字種対応検索文字列「ディーエヌエーウイルス」としての文字種“漢字”に応じた他の辞書で検索開始する旨のメッセージ「見つかりません。他の辞書を検索します。」が表示される（ステップＳ２１）。
【０１４２】
そして、前記混在文字種対応検索文字列「ディーエヌエーウイルス」としての文字種“漢字”に応じた他の辞書のうち、［国語大辞書］から当該検索文字列「ディーエヌエーウイルス」と一致する見出し語が検索されたと判断されると（ステップＳ２２（Ｙｅｓ））、この［国語大辞書］が今回のジャンプ先辞書に設定されると共に、前回ジャンプ辞書メモリ２２ｉ（図５参照）における文字種“漢字”に対応付けられて記憶される（ステップＳ２３）。
【０１４３】
そして、前記［国語大辞書］から検索された先頭の見出し語「ディーエヌエーウイルス」の説明情報に対応する早見情報（語義の主要部）が、国語系辞書早見テーブル２２ｄから読み出される（ステップＳ２０）。
【０１４４】
すると、図１４（Ｎ）に示すように、今回のジャンプ先辞書［国語大辞書］の辞書名［国語大］と当該国語系の辞書早見テーブル２２ｄから読み出された早見情報「[1]ディーエヌエーウイルス[DNAウイルス]、[2]DNAを持つウイルス。…」が、前記説明情報表示画面Ｇ上で開いた早見ウインドウＷｈに表示される（ステップＳ２４）。
【０１４５】
このように、説明情報表示画面Ｇに表示された説明情報の中で、アルファベットとかな漢字が混在した任意の検索文字列「ＤＮＡウイルス」を指定表示Ｈさせて［早見へジャンプ］機能を実行させると、当該検索文字列「ＤＮＡウイルス」のアルファベットの部分を日本語に変更した混在文字種対応の検索文字列「ディーエヌエーウイルス」が生成されると共に、その文字種が“漢字”として記憶され、同文字種“漢字”に応じた辞書を対象に見出し語検索される。そして、検索された見出し語に対応する早見情報が今回使用の辞書に対応する早見テーブルから読み出され早見ウインドウＷｈに表示される。よって、説明情報表示画面Ｇ上で指定表示Ｈさせた任意の検索文字列が、アルファベットとかな漢字の文字種が混在する文字列であっても、その文字列に対応する語義の主要部だけをその場で容易に早見して確認することができる。
【０１４６】
近年、「Ｊリーグ」や「ＤＮＡ鑑定」など、アルファベットとかな漢字が混在した用語が増加している。このような用語を通常の辞書検索モードにおいて検索する場合、アルファベットの部分を日本語読みで入力して見出し語検索することが可能であるが、従来、ジャンプ検索モードで検索する場合は検索不可能であった。本実施形態の情報表示機能によれば、ジャンプ検索モードであっても、前記アルファベットとかな漢字が混在した用語を検索文字列として指定表示Ｈさせ、容易に見出し語検索することが可能になる。
【０１４７】
次に、前記図１４（Ｎ）で示したように、［ブリ百科事典］の見出し語「ウイルス」に対応する説明情報表示画面Ｇ上に、当該説明情報の中で指定表示Ｈさせたジャンプ検索対象の文字列「ＤＮＡウイルス」（ディーエヌエーウイルス）に応じた［国語大辞書］による早見ウインドウＷｈが表示された状態で、図１４（Ｏ）に示すように、［戻る／リスト］キー１４ｄが繰り返し押下されると（ステップＳ３２（Ｙｅｓ））、前記図１２（Ｅ）で示した［国語大辞書］での見出し語「ディーエヌエーウイルス」に対応する説明情報表示画面Ｇの表示状態に戻る。
【０１４８】
この［国語大辞書］の見出し語「ディーエヌエーウイルス」に対応する説明情報表示画面Ｇの表示状態において、検索対象の文字列「ＲＮＡウイルス」が矢印ｘに示すようにペンＰによりなぞられると、同文字列「ＲＮＡウイルス」が青色で指定表示Ｈされる（ステップＳ１１）。
【０１４９】
そして、図１４（Ｐ）に示すように、前記手書き入力部（サブ画面）１６に表示された機能メニューＭの［早見へジャンプ］ボタンＢ２が指定表示Ｈされた状態で、［訳／決定］キー１４ｃが押下されるか、または前記説明情報表示画面Ｇの中で指定表示Ｈされた検索対象の文字列「ＲＮＡウイルス」がペンＰによりタッチされると（ステップＳ１２，Ｓ１５（Ｙｅｓ））、ジャンプモードメモリ２２ｊに記憶された現在のジャンプ検索モードの種類［早見へジャンプ］が判断され（ステップＳ１６，Ｓ１７（Ｙｅｓ））、図９における検索文字列の文字種判別処理へ移行される（ステップＳＡ）。
【０１５０】
この検索文字列の文字種判別処理では、先ず、前記説明情報表示画面Ｇにて指定表示Ｈされた検索文字列「ＲＮＡウイルス」の文字種“アルファベット”と“かな”が判別される（ステップＡ１）。
【０１５１】
すると、前記検索文字列「ＲＮＡウイルス」の文字種にアルファベットとかな漢字が混在すると判断され（ステップＡ２（Ｙｅｓ））、その文字種が“漢字”として記憶される（ステップＡ２→Ａ３）。
【０１５２】
すると次に、図１０における混在文字種対応の検索文字生成処理へ移行される（ステップＳＢ）。
【０１５３】
この混在文字種対応の検索文字生成処理では、前記説明情報表示画面Ｇにて指定表示Ｈされた検索文字列「ＲＮＳウイルス」の文字種“アルファベット”と“かな”が判別され（ステップＢ１）、アルファベットとかな漢字が混在すると判断される（ステップＢ２（Ｙｅｓ））。
【０１５４】
すると、前記検索文字列「ＲＮＡウイルス」の“アルファベット”と文字種判別された部分「ＲＮＡ」が、日本語の読み「アールエヌエー」に変更され、混在文字種対応の検索文字列「アールエヌエーウイルス」が生成される。そして、この混在文字種対応の検索文字列「アールエヌエーウイルス」がワークエリア２２ｋに保存される（ステップＢ３）。
【０１５５】
すると、前記混在文字種対応の検索文字列「アールエヌエーウイルス」の文字種“漢字”に対応して、前回ジャンプ辞書メモリ２２ｉに記憶されている前回のジャンプ先辞書［国語大辞書］が検知され、今回のジャンプ先辞書に設定される（ステップＳ１８）。
【０１５６】
そして、前記混在文字種対応の検索文字列「アールエヌエーウイルス」の文字種“漢字”に応じて設定された今回のジャンプ先辞書［国語大辞書］に、当該検索文字列「アールエヌエーウイルス」と前方一致する見出し語があるか否か判断される（ステップＳ１９（Ｙｅｓ））。
【０１５７】
ここで、今回のジャンプ先辞書［国語大辞書］に、前記混在文字種対応の検索文字列「アールエヌエーウイルス」と前方一致する見出し語がないと判断されると（ステップＳ１９（Ｎｏ））、前記説明情報表示画面Ｇ上に開いた早見ウインドウＷｈに対して、その辞書名［国語大］および検索文字列「ＲＮＡウイルス」と共に、一致する見出し語が検索されないこと、および混在文字種対応検索文字列「アールエヌエーウイルス」としての文字種“漢字”に応じた他の辞書で検索開始する旨のメッセージ「見つかりません。他の辞書を検索します。」が表示される（ステップＳ２１）。
【０１５８】
そして、前記混在文字種対応検索文字列「アールエヌエーウイルス」としての文字種“漢字”に応じた他の辞書のうち、［ブリ百科事典］から当該検索文字列「アールエヌエーウイルス」と一致する見出し語が検索されたと判断されると（ステップＳ２２（Ｙｅｓ））、この［ブリ百科事典］が今回のジャンプ先辞書に設定されると共に、前回ジャンプ辞書メモリ２２ｉ（図５参照）における文字種“漢字”に対応付けられて記憶される（ステップＳ２３）。
【０１５９】
そして、前記［ブリ百科事典］から検索された先頭の見出し語「アールエヌエーウイルス」の説明情報に対応する早見情報（語義の主要部）が、国語系辞書早見テーブル２２ｄから読み出される（ステップＳ２０）。
【０１６０】
すると、図１５（Ｑ）に示すように、今回のジャンプ先辞書［ブリ百科事典］の辞書名［ブリ百科］と当該国語系の辞書早見テーブル２２ｄから読み出された早見情報「アールエヌエーウイルス[RNAウイルス]、[1]遺伝子（核酸）としてデオキシリボ核酸DNAではなく…」が、前記説明情報表示画面Ｇ上で開いた早見ウインドウＷｈに表示される（ステップＳ２４）。
【０１６１】
よってこのケースの場合も、説明情報表示画面Ｇ上で指定表示Ｈさせた任意の検索文字列が、アルファベットとかなの文字種が混在する文字列であっても、その文字列に対応する語義の主要部だけをその場でジャンプ検索し容易に早見して確認することができる。
【０１６２】
次に、前記図１５（Ｑ）で示したように、［国語大辞書］の見出し語「ディーエヌエーウイルス」に対応する説明情報表示画面Ｇ上に、当該説明情報の中で指定表示Ｈさせたジャンプ検索対象の文字列「ＲＮＡウイルス」（アールエヌエーウイルス）に応じた［ブリ百科事典］による早見ウインドウＷｈが表示された状態で、図１５（Ｒ）に示すように、［戻る／リスト］キー１４ｄが押下されると（ステップＳ３２（Ｙｅｓ））、前記［国語大辞書］の見出し語「ディーエヌエーウイルス」に対応する説明情報表示画面Ｇの表示状態に戻る。
【０１６３】
この［国語大辞書］の見出し語「ディーエヌエーウイルス」に対応する説明情報表示画面Ｇの表示状態において、語義を知りたい任意の検索文字列「アデノウイルス」が指定表示Ｈされ（ステップＳ１１）、図１５（Ｓ）に示すように、手書き入力部（サブ画面）１６に表示された機能メニューＭの［詳細へジャンプ］ボタンＢ３がペンＰによりタッチされると（ステップＳ１２，Ｓ３３（Ｙｅｓ））、ジャンプモードメモリ２２ｊにジャンプ検索モードの種類［詳細へジャンプ］が記憶され、前記［詳細へジャンプ］ボタンＢ３が指定表示Ｈされる（ステップＳ３４）。
【０１６４】
そして、図９における検索文字列の文字種判別処理へ移行される（ステップＳＡ）。
【０１６５】
この検索文字列の文字種判別処理では、先ず、前記説明情報表示画面Ｇにて指定表示Ｈされた検索文字列「アデノウイルス」の文字種“かな”が判別される（ステップＡ１）。
【０１６６】
そして、前記検索文字列「アデノウイルス」の文字種にアルファベットとかな漢字が混在しないと判断され（ステップＡ２（Ｎｏ））、前記ステップＡ１にて判別された文字種がそのまま“かな”として記憶される（ステップＡ２→Ａ４）。
【０１６７】
すると次に、図１０における混在文字種対応の検索文字生成処理へ移行される（ステップＳＢ）。
【０１６８】
この混在文字種対応の検索文字生成処理では、前記説明情報表示画面Ｇにて指定表示Ｈされた検索文字列「アデノウイルス」の文字種“かな”が判別され（ステップＢ１）、アルファベットとかな漢字が混在しないと判断される（ステップＢ２（Ｎｏ））。
【０１６９】
すると、ジャンプ先辞書テーブルメモリ２２ｈに記憶されているテーブルデータ（図４参照）に基づき、前記判別された検索文字列「アデノウイルス」の文字種“かな”に対応する検索可能辞書の一覧［国語大辞書］［ブリ百科事典］が読み出される（ステップＳ３５）。
【０１７０】
そして、前記ジャンプ先辞書テーブル（２２ｈ）から読み出された各検索可能辞書［国語大辞書］［ブリ百科事典］から、前記検索文字列「アデノウイルス」に対応する各見出し語が検索されて読み出され、前記説明情報表示画面Ｇ上に開いたジャンプ先辞書一覧ウインドウＷｊに各辞書名と共に一覧表示される（ステップＳ３６）。
【０１７１】
この際、前回ジャンプ辞書メモリ２２ｉ（図５参照）に記憶されている該当の文字種“かな”に対応した前回のジャンプ先辞書にて、前記検索文字列「アデノウイルス」に対応する見出し語が検索された場合には（ステップＳ３７（Ｙｅｓ））、当該前回のジャンプ先辞書［ブリ百科事典］に対応するところの見出し語「アデノウイルス」の欄が指定表示Ｈされる（ステップＳ３８）。
【０１７２】
そして、前記ジャンプ先辞書一覧ウインドウＷｊにおいて、ユーザ操作に応じて所望のジャンプ先辞書およびその見出し語［[2]ブリ百科：アデノウイルス］が選択されて［訳／決定］キー１４ｃが押下されると（ステップＳ４０）、当該選択された辞書名［ブリ百科事典］が前回ジャンプ辞書メモリ２２ｉ（図５参照）における前記検索文字列「アデノウイルス」の判別文字種“かな”に対応付けられて記憶される（ステップＳ４１）。
【０１７３】
すると、図１５（Ｔ）に示すように、前記選択されたジャンプ先辞書［ブリ百科事典］から検索された見出し語「アデノウイルス」に対応する詳細な説明情報が読み出され、タッチパネル式カラー表示部（メイン画面）１７の全画面に展開されてなる説明情報表示画面Ｇとして表示される（ステップＳ４２）。
【０１７４】
よって、このケースの場合も、前記図１３（Ｉ）〜図１３（Ｋ）を参照して説明した場合と同様に、辞書検索されて表示された説明情報表示画面Ｇ中の任意の語句の詳細な意味内容を、ユーザ所望の辞書から検索して知りたいときなど、非常に操作性よく快適にジャンプ辞書検索を行うことができる。
【０１７５】
［ブック／テキストビューアモードからのジャンプ辞書検索］
辞書指定キー１４ｂの中の［メニュー］キーの操作に応じてタッチパネル式カラー表示部（メイン画面）１７に表示されるメニュー画面において、ブック／テキストビューア機能がユーザにより選択されると（ステップＳ４４（Ｙｅｓ））、ブック／テキストデータ２２ｆ，２２ｇとして記憶されている各種のブックデータやテキストデータの一覧がメイン画面１７に表示される（ステップＳ４５）。
【０１７６】
このブック／テキストデータの一覧画面において、ユーザが閲覧したいブック／テキストデータ（例えば、ブックデータ［世界文学１］）が選択されると（ステップＳ４６）、ブック／テキストビューアモードにセットされる（ステップＳ４７）。
【０１７７】
そして、前記選択されたブックデータ［世界文学１］がメモリ２２から読み出され、タッチパネル式カラー表示部（メイン画面）１７の全画面に展開したブック／テキストビューア画面として表示される（ステップＳ４８）。
【０１７８】
このブック／テキストビューア画面の表示状態にあっても、前記通常の辞書検索に伴う説明情報表示画面Ｇからのジャンプ辞書検索と同様に、手書き入力部（サブ画面）１６に対して、［早見］ボタンＢ１、［早見へジャンプ］ボタンＢ２、［詳細へジャンプ］ボタンＢ３、［他の辞書で調べる］ボタンＢ４、［単語帳登録］ボタンＢ５からなる機能メニューＭが表示される（ステップＳ９）。
【０１７９】
そして、ブック／テキストビューア画面内で任意の検索文字列を指定表示Ｈさせ、早見ジャンプモードまたは詳細ジャンプモードを選択することで、前記同様のジャンプ辞書検索処理を実行できる（ステップＳ１０〜Ｓ４２）。
【０１８０】
したがって、前記構成の電子辞書装置１０による情報表示機能によれば、ユーザ入力された所望の検索文字列から通常辞書検索された説明情報表示画面Ｇやユーザ所望のブック／テキストのビューア画面において、当該画面内の任意の文字列について簡易な説明情報のみを知りたい場合、あるいは当該簡易な説明情報からさらに詳細な説明情報を知りたい場合の何れの場合でも、ユーザ所望のジャンプ検索処理を操作性よく快適に実行することが可能になる。
【０１８１】
なお、前記実施形態において記載した電子辞書装置１０による各処理の手法およびデータベース、すなわち、図６のフローチャートに示す情報表示処理（その１）、図７のフローチャートに示す情報表示処理（その２）、図８のフローチャートに示す情報表示処理（その３）、図９のフローチャートに示す前記情報表示処理に伴う検索文字列の文字種判別処理、図１０のフローチャートに示す前記情報表示処理に伴う混在文字種対応の検索文字生成処理などの各手法、および辞書データベース２２ｂ〜２２ｅは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記実施形態において説明したジャンプ検索を伴う情報表示機能を実現し、前述した手法による同様の処理を実行することができる。
【０１８２】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述したジャンプ検索を伴う情報表示機能を実現することもできる。
【０１８３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１８４】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１４ｆ…［ジャンプ］キー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
２１  …ＣＰＵ
２２  …メモリ
２２ａ…情報表示制御プログラム
２２ｂ…日本語系辞書データベース
２２ｃ…英語系辞書データベース
２２ｄ…日本語系辞書早見テーブル
２２ｅ…英語系辞書早見テーブル
２２ｆ…ブックデータ
２２ｇ…テキストデータ
２２ｈ…ジャンプ先辞書テーブルメモリ
２２ｉ…前回ジャンプ辞書メモリ
２２ｊ…ジャンプモードメモリ
２３  …外部記憶媒体
２４  …記憶媒体読み書き部
２５  …通信制御部
Ｇ    …説明情報表示画面
Ｍ    …機能メニュー
Ｂ２  …［早見へジャンプ］ボタン
Ｂ３  …［詳細へジャンプ］ボタン
Ｗｈ  …早見ウインドウ
Ｗｊ  …ジャンプ先辞書一覧ウインドウ
Ｎ    …［別候補］ボタン
Ｒ    …［スクロール］ボタン
Ｅ    …［閉じる］ボタン
Ｈ    …指定表示
Ｐ    …タッチペン
【図１】
2011159066.tif 000003
【図２】
2011159066.tif 000004
【図３】
2011159066.tif 000005
【図４】
2011159066.tif 000006
【図５】
2011159066.tif 000007
【図６】
2011159066.tif 000008
【図７】
2011159066.tif 000009
【図８】
2011159066.tif 000010
【図９】
2011159066.tif 000011
【図１０】
2011159066.tif 000012
【図１１】
2011159066.tif 000013
【図１２】
2011159066.tif 000014
【図１３】
2011159066.tif 000015
【図１４】
2011159066.tif 000016
【図１５】
2011159066.tif 000017